(57)【要約】      （修正有）【課題】電気通信ネットワークのサーバシステム及びコンピュータ実行方法を提供する。【解決手段】少なくとも第１サーバシステム１０１−１及び第２サーバシステム１０１−２を含むラックシステム内のサーバシステム１００Ａであって、１つ以上の冷却コンポーネント１０２−１、１０２−２と、１つ以上の冷却コンポーネントを制御するように構成された第１コントローラ１０６−１と、第１冷却制御スイッチと、第１コントローラの健全性を判別し、第１コントローラが異常である場合に、第１冷却制御スイッチ１０４−１を外部モードに設定し、第２サーバシステムの第２コントローラ１０６−２が、１つ以上の冷却コンポーネントを制御できるように構成されたウォッチドッグ回路と、を備える。【選択図】図１Ａ
2019032818.tif 000002
【特許請求の範囲】
【請求項１】
少なくとも第１サーバシステム及び第２サーバシステムを含むラックシステム内のサーバシステムであって、
１つ以上の冷却コンポーネントと、
前記１つ以上の冷却コンポーネントを制御するように構成された第１コントローラと、
第１冷却制御スイッチと、
ウォッチドッグ回路と、を備え、
前記ウォッチドッグ回路は、
前記第１コントローラの健全性を判別し、
前記第１コントローラが異常である場合に、前記第１冷却制御スイッチを外部モードに設定し、前記第２サーバシステムの第２コントローラが前記１つ以上の冷却コンポーネントを制御できるように構成されている、
サーバシステム。
【請求項２】
前記ウォッチドッグ回路は、前記サーバシステムのＡＣ電源及び電源ユニット（ＰＳＵ）の状態情報を受信し、前記ＡＣ電源及び前記ＰＳＵが正常な場合にのみ前記第１冷却制御スイッチを前記外部モードに設定するように動作可能である、請求項１に記載のサーバシステム。
【請求項３】
前記ウォッチドッグ回路は、前記第１コントローラが正常である場合に、前記第１冷却制御スイッチを前記内部モードに設定し、第１コントローラが前記１つ以上の冷却コンポーネントを制御できるように構成されている、請求項１に記載のサーバシステム。
【請求項４】
前記ウォッチドッグ回路は、前記第１コントローラの健全性をアクティブに監視することによって前記第１コントローラの健全性を判別し、前記第１コントローラの任意の動作パラメータが所定の規格を超えた場合に、前記第１コントローラが異常であると判別する、請求項１に記載のサーバシステム。
【請求項５】
前記第１コントローラは、
前記第２サーバシステムの少なくとも１つの冷却コンポーネントの状態情報を受信し、
前記第２サーバシステムの第２冷却制御スイッチが外部モードに設定されるのを判別し、
前記少なくとも１つの冷却コンポーネントの受信した状態情報に少なくとも基づいて、前記第２サーバシステムの前記少なくとも１つの冷却コンポーネントを制御するように構成されている、請求項１に記載のサーバシステム。
【請求項６】
前記第１コントローラは、
前記第２サーバシステムの温度情報を受信し、
前記第２サーバシステムの温度情報に少なくとも基づいて、前記第２サーバシステムの少なくとも１つの冷却コンポーネントを制御するように構成されている、請求項１に記載のサーバシステム。
【請求項７】
ラックシステム内のノードの１つ以上の冷却コンポーネントを制御するコンピュータ実行方法であって、
前記ノードのコントローラにて、前記１つ以上の冷却コンポーネントの状態情報を受信するステップと、
前記ノードの第１冷却制御スイッチが内部モードに設定されたと判別したことに応じて、前記１つ以上の冷却コンポーネント受信した状態情報に少なくとも基づいて、前記１つ以上の冷却コンポーネントを制御するステップと、
前記ラックシステム内の隣接ノードの少なくとも１つの冷却コンポーネントの状態情報を受信するステップと、
前記隣接ノードの第２冷却制御スイッチが外部モードに設定されるのを判別するステップと、
前記少なくとも１つの冷却コンポーネントの受信した状態情報に少なくとも基づいて、前記隣接ノードの前記少なくとも１つの冷却コンポーネントを制御するステップと、を含む、
コンピュータ実行方法。
【請求項８】
前記ノードは、前記コントローラの健全性を監視するように構成されたウォッチドッグ回路を備える、請求項７のコンピュータ実行方法。
【請求項９】
前記隣接ノードの温度情報を受信するステップと、
少なくとも前記隣接ノードの温度情報に基づいて、前記隣接ノードの前記少なくとも１つの冷却コンポーネントを制御するステップと、を含む、請求項７のコンピュータ実行方法。
【請求項１０】
命令を含むコンピュータ可読記憶媒体であって、前記命令は、システムの少なくとも１つのプロセッサによって実行されると、ラックシステム内のノードの１つ以上の冷却コンポーネントを制御する動作を前記システムに実行させ、前記動作は、
前記１つ以上の冷却コンポーネントの状態情報を受信するステップと、
前記ノードの第１冷却制御スイッチが内部モードに設定されたと判別したことに応じて、前記１つ以上の冷却コンポーネントの受信した状態情報に少なくとも基づいて、前記１つ以上の冷却コンポーネントを制御するステップと、
前記ラックシステム内の隣接ノードの少なくとも１つの冷却コンポーネントの状態情報を受信するステップと、
前記隣接ノードの第２冷却制御スイッチが外部モードに設定されるのを判別するステップと、
前記少なくとも１つの冷却コンポーネントの受信した状態情報に少なくとも基づいて、前記隣接ノードの前記少なくとも１つの冷却コンポーネントを制御するステップと、を含む、
コンピュータ可読記憶媒体。
【発明の詳細な説明】
【技術分野】
【０００１】
本発明は、概して、電気通信ネットワークのサーバシステムに関する。
【背景技術】
【０００２】
現在のサーバファーム又はデータセンタは、通常、様々なアプリケーションサービスに必要な処理を実施するために多数のサーバを使用する。各サーバは、各種操作を処理し、これらの操作を維持するために一定レベルの電力消費を必要とする。これらの操作のいくつかは、「ミッションクリティカル」な操作であり、これらの操作の中断は、これらの操作に関連するユーザに対する重大なセキュリティ侵害又は収益損失を招く可能性がある。サーバシステム内の過度の熱は、サーバシステムの動作を中断させる可能性がある。
【０００３】
冷却ファンは、システムから過度の熱を除去するために、サーバシステムに広く使用されている。従来のサーバシステムでは、シャーシ管理コントローラ（ＣＭＣ）が一般的にサーバラックシステムで用いられており、ラックシステム内のＣＰＵ及びハードドライブ（ＨＤＤ）の温度を読み出して、ラックシステムの冷却ファンのファン速度を制御するようになっている。
【０００４】
しかしながら、サーバシステムのファン制御方法の効率及び信頼性を向上させることが依然として課題となっている。
【発明の概要】
【発明が解決しようとする課題】
【０００５】
電気通信ネットワークのサーバシステム及びコンピュータ実行方法を提供する。
【課題を解決するための手段】
【０００６】
本発明の各種実施例によるシステム及び方法は、ラックシステムの複数のノードの各々に用いるマルチノードファン制御スイッチと、ノードのコントローラを用いて、ノードの１つ以上の冷却ファンを管理し、ラックシステムの隣接ノードの異なるコントローラをバックアップコントローラとして用いることによって、上述した問題を解決する方法を提供する。より具体的には、本発明の各種実施例は、ファン制御スイッチと、ノードの特定のコントローラ（例えば、ベースボード管理コントローラ（ＢＭＣ）又は特定のプロセッサ）を用いて、ノードの１つ以上の冷却ファンを制御するためのシステム及び方法を提供する。このノードには、ウォッチドック回路も含まれている。ウォッチドッグ回路は、特定のコントローラの健全性を監視することができ、特定のコントローラが異常であると判別したことに応じて、ファン制御スイッチを外部モードに設定し、ラックシステム内の隣接ノードのコントローラがノードの１つ以上の冷却ファンを制御できるようにする。
【０００７】
いくつかの実施例では、特定のコントローラは、ノードの温度情報（例えば、ＣＰＵ、特定のコントローラ又はハードドライブ（ＨＤＤ）の温度）を更に受信し、少なくともノードの温度情報に基づいて、１つ以上の冷却ファンのファン速度を制御することができる。いくつかの実施形態では、特定のコントローラからの命令は、１つ以上の冷却ファンを制御するように動作可能なＰＷＭ信号である。
【０００８】
いくつかの実施例では、ウォッチドッグ回路は、特定のコントローラからハートビート信号を受信することができる。ウォッチドッグ回路は、所定時間内にハートビート信号を受信していないことに応じて、特定のコントローラが異常であると判別することができる。
【０００９】
いくつかの実施例では、ウォッチドッグ回路は、特定のコントローラの健全性をアクティブにテストすることができる。特定のコントローラの動作パラメータが所定の規格を超えた場合、ウォッチドッグ回路は、特定のコントローラが異常であると判別し、次いで、ファン制御スイッチを外部モードに設定することができる。
【００１０】
いくつかの実施例では、ウォッチドッグ回路は、ノードのＡＣ電源及び電源ユニット（ＰＳＵ）の状態情報を受信する。ウォッチドッグ回路は、ＡＣ電源及びＰＳＵが正常である場合にのみ、ノードのファン制御スイッチを外部モードにすることができる。
【００１１】
いくつかの実施形態では、ノードの特定のコントローラは、隣接ノードの１つ以上の冷却ファンに接続されており、それらの状態情報（例えば、各冷却ファンのファン回転状態）を受信することができる。隣接ノードのファン制御スイッチが外部モードに切り替えられたと判別したことに応じて、特定のコントローラは、少なくとも隣接ノードの１つ以上の冷却ファンの状態情報に基づいて、隣接ノードの１つ以上の冷却ファンのファン速度を制御するための命令を送信することができる。
【００１２】
いくつかの実施例では、特定のコントローラは、１つ以上の冷却ファンがデフォルト速度で動作するように、隣接ノードの１つ以上の冷却ファンに命令を送信することができる。いくつかの他の実施例では、特定のコントローラは、隣接ノードの温度情報（例えば、ＣＰＵ、ＨＤＤ又は特定のコントローラの温度）を更に受信し、少なくとも隣接ノードの温度情報に基づいて、隣接ノードの１つ以上の冷却ファンのファン速度を制御することができる。
【００１３】
いくつかの実施例では、隣接ノードは、１つ以上の冷却ファンを備えるダミートレイであってもよい。ダミートレイ内のサーバシステムが検出されなかったことに応じて、隣接ノードのファン制御スイッチを自動的に外部モードに設定することができる。特定のコントローラは、ダミートレイ内の１つ以上の冷却ファンの状態情報（例えば、各冷却ファンのファン回転状態）を受信し、少なくとも受信した状態情報に基づいて、１つ以上の冷却ファンのファン速度を制御するための命令を送信することができる。
【００１４】
いくつかの実施形態では、ラックシステムは、３つ以上のノードを備える。３つ以上のノードの各々の特定のコントローラは、ラックシステムの隣接ノードの１つ以上の冷却ファンにも接続されている。ノードの特定のコントローラは、隣接ノードのファン制御スイッチが外部モードに切り替えられたと判別したことに応じて、隣接ノードの１つ以上の冷却ファンのファン速度を制御するための命令を送信することができる。
【００１５】
本発明の上述した利点及び特徴と他の利点及び特徴とを得ることができる方法を説明するために、上で簡単に説明した原理のより具体的な説明を、添付の図面に示される具体的な実施形態を参照して行う。これらの図面は、本発明の例示的な態様を示すものであり、本発明を限定するものではないことを理解されたい。本発明の原理は、添付の図面の使用を通した追加の特徴及び詳細によって説明される。
【図面の簡単な説明】
【００１６】
【図１Ａ】本発明の実施形態による、ラックシステム内の２つの例示的なサーバシステムを示すブロック図であり、各サーバシステムは、ウォッチドッグ回路及びファン制御スイッチを有している。
【図１Ｂ】本発明の実施形態による、ラックシステム内の２つの例示的なサーバシステムを示すブロック図であり、各サーバシステムは、ウォッチドッグ回路及びファン制御スイッチを有している。
【図１Ｃ】本発明の実施形態による、ラックシステム内の３つの例示的なサーバシステムを示すブロック図であり、各サーバシステムは、ウォッチドッグ回路及びファン制御スイッチを有している。
【図１Ｄ】本発明の実施形態による、ラックシステム内の例示的なサーバシステム及び例示的なダミートレイを示すブロック図であり、例示的なサーバシステムは、ウォッチドッグ回路及びファン制御スイッチを有している。
【図１Ｅ】本発明の実施形態による、ウォッチドッグ回路及びファン制御スイッチを有する例示的なシステムを示すブロック図である。
【図２Ａ】本技術の実施形態による、ラックシステム内の１つ以上の冷却装置を管理する例示的な方法を示す図である。
【図２Ｂ】本技術の実施形態による、ラックシステム内の１つ以上の冷却装置を管理する例示的な方法を示す図である。
【図３】本技術の様々な実施形態による、例示的なコンピューティングデバイスを示す図である。
【図４】本技術の様々な実施例による、例示的なシステムを示す図である。
【図５】本技術の様々な実施例による、例示的なシステムを示す図である。
【発明を実施するための形態】
【００１７】
本発明は、多くの異なる形態で具現化することができる。本発明は、本発明の原理の例示として考慮されるべきであり、本発明の広範な態様を限定することを意図するものではなく、図面に示され、本明細書において詳細に説明される。その範囲において、例えば、概要、要約及び詳細な説明で開示されているが、特許請求の範囲に明記されていない要素及び制限は、含意、推論若しくは他の方式によって単独又は集合的に特許請求の範囲に組み込まれるべきではない。詳細な説明の目的のために、特に断りのない限り、単数は複数を含み、その逆も同様である。「含む」という用語は、「制限なしに含む」ことを意味する。また、例えば、「約（about）」、「ほとんど（almost）」、「実質的に（substantially）」、「おおよそ（approximately）」等の近似の用語は、ここでは、例えば「…で（at）、…近くで（near）、…に近接して（nearly at）」、「…の３〜５％内で」、「製造誤差の許容範囲内で」、又は、これらの任意の論理的組み合わせの意味を含むことができる。
【００１８】
本発明の各種実施例は、ノードのマルチノードファン制御スイッチ及び特定のコントローラ（例えば、ベースボード管理コントローラ（ＢＭＣ）又は特定のプロセッサ）を用いて、ノードの１つ以上の冷却ファンを制御する方法及びシステムを提供する。このノードには、ウォッチドッグ回路も含まれる。ウォッチドッグ回路は、特定のコントローラの健全性を監視することができ、特定のコントローラが異常であると判別したことに応じて、ファン制御スイッチを外部モードに設定し、ラックシステム内の隣接ノードのコントローラがノードの１つ以上の冷却ファンを制御できるようにする。
【００１９】
図１Ａは、本発明の実施形態による、ラックシステム１００Ａ内の２つの例示的なサーバシステムを示すブロック図であり、各サーバシステムは、ウォッチドッグ回路及びファン制御スイッチを有している。この実施例では、システム１００Ａは、バックプレーン１０５と、２つのサーバシステム１０１−１，１０１−２と、を備える。各サーバシステムは、１つ以上の冷却ファン（例えば、１０２−１，１０２−２）と、ウォッチドッグ回路（例えば、１０３−１，１０３−２）と、ファン制御スイッチ（例えば、１０４−１，１０４−２）と、ベースボード管理コントローラ（ＢＭＣ）（例えば、１０６−１，１０６−２）と、を備える。サーバシステム１０１−１のＢＭＣ１０６−１は、ファン制御スイッチ１０４−１を介して、１つ以上の冷却ファン１０２−１に接続されており、バックプレーン１０５及びファン制御スイッチ１０４−２を介して、隣接するサーバシステム１０１−２の１つ以上の冷却ファン１０２−２に接続されている。同様に、サーバシステム１０１−２のＢＭＣ１０６−２は、ファン制御スイッチ１０４−２を介して、１つ以上の冷却ファン１０２−２に接続されており、バックプレーン１０５及びファン制御スイッチ１０４−１を介して、隣接するサーバシステム１０１−１の１つ以上の冷却ファン１０２−１に接続されている。
【００２０】
この実施例では、特定のサーバシステムのＢＭＣ（例えば、１０６−１又は１０６−２）は、特定のサーバシステムの１つ以上の冷却ファンの状態情報（例えば、各冷却ファンのファン回転状態）を受信することができる。ＢＭＣ（例えば、１０６−１又は１０６−２）は、特定のサーバシステムの温度情報（例えば、ＣＰＵ又はＢＭＣの温度）を受信することもできる。特定のサーバシステムのファン制御スイッチが内部モードに設定されている場合、ＢＭＣは、少なくとも受信した温度情報に基づいて、特定のサーバシステムの１つ以上の冷却ファンのファン速度を制御することができる。いくつかの実施形態においては、ＢＭＣは、パルス幅変調（ＰＷＭ）信号を１つ以上の冷却ファンに送信することによって、１つ以上の冷却ファンの速度を制御する。
【００２１】
各ウォッチドッグ回路（例えば、１０３−１，１０３−２）は、同じサーバシステム上の対応するＢＭＣ（例えば、１０６−１，１０６−２）の健全性を監視することができ、対応するＢＭＣが異常であると判別したことに応じて、同じサーバシステム上の対応するファン制御スイッチを外部モードに設定し、隣接するサーバシステムのＢＭＣが同じサーバシステム上の対応する１つ以上の冷却ファンを制御できるようにする。例えば、特定のサーバシステムのウォッチドッグ回路は、特定のサーバシステムの対応するＢＭＣからハートビート信号を受信することができる。ウォッチドッグ回路は、所定時間内にハートビート信号が受信されていないと判別したことに応じて、対応するＢＭＣが異常であると判別して、特定のサーバシステムの対応するファン制御スイッチを外部モードにし、隣接するサーバシステムの異なるＢＭＣが、特定のサーバシステムの対応する１つ以上の冷却ファンを制御できるようにする。このシナリオを図１Ｂに示す。ここでは、ファン制御スイッチ１０４−１が外部モードに設定され、隣接ノード１０１−２のＢＭＣ１０６−２が、ノード１０１−１の１つ以上の冷却ファンを制御することができる。
【００２２】
他の実施例では、ウォッチドッグ回路は、特定のサーバシステムの対応するＢＭＣの健全性をアクティブに監視することができる。対応するＢＭＣが異常動作した場合、ウォッチドッグ回路は、ＢＭＣが異常であると判別して、特定のサーバシステムのファン制御スイッチを外部モードに設定し、隣接するサーバシステムの異なるＢＭＣが、特定のサーバシステムの１つ以上の冷却ファンを制御できるようにする。
【００２３】
いくつかの実施形態においては、各ウォッチドッグ回路（例えば、１０３−１，１０３−２）は、対応するサーバシステム又はラックシステム１００Ａの電源ユニット（ＰＳＵ）にも接続されており、対応するサーバシステムのＡＣ電源及びＰＳＵの状態情報をＰＳＵから受信することができる。ウォッチドッグ回路は、対応するサーバシステム上でＡＣ電源及びＰＳＵが正常である場合にのみ、対応するファン制御スイッチを外部モードに設定することができる。表１は、本発明の実施形態による、ウォッチドッグ回路（例えば、１０３−１，１０３−２）の例示的な論理真理値表（logic truth table）を示している。ウォッチドッグ回路は、対応するノードのＡＣ電源及びＰＳＵが正常（即ち、「１」）であり、対応するコントローラのハートビート信号が受信された（即ち、「１」）場合に、対応するファン制御スイッチを内部モードに設定（即ち、「１」）し、外部モードを無効（即ち、「０」）にする。ウォッチドッグ回路は、対応するノードのＡＣ電源及びＰＳＵが正常（即ち、「１」）であるが、対応するコントローラからハートビート信号が所定期間内に受信されなかった場合（即ち、「０」）に、対応するファン制御スイッチを外部モードに設定（即ち、「１」）し、内部モードを無効（即ち、「０」）にする。ウォッチドッグ回路は、対応するノードのＡＣ電源又はＰＳＵが全て異常（即ち、「０」）の場合に、対応するファン制御スイッチを内部モードに設定（即ち、「１」）し、外部モードを無効（即ち、「０」）にする。
【表１】
2019032818.tif 000003
【００２４】
いくつかの実施例においては、特定のサーバシステムのＢＭＣは、隣接するサーバシステムの１つ以上の冷却ファンの状態情報（例えば、各冷却ファンのファン回転状態）を受信することができる。ＢＭＣは、隣接するサーバシステムのファン制御スイッチが外部モードに設定された場合、隣接するサーバシステムの温度情報（例えば、ＣＰＵ、ＨＤＤ又はＢＭＣの温度）を更に受信することができる。ＢＭＣは、隣接するサーバシステムの受信した温度情報に少なくとも基づいて、隣接するサーバシステムの１つ以上の冷却ファンのファン速度を制御することができる。いくつかの実施例においては、ＢＭＣは、デフォルト又は所定のパラメータに従って、隣接するサーバシステムの１つ以上の冷却ファンのファン速度を制御することができる。
【００２５】
図１Ｃは、本発明の実施形態による、ラックシステム１００Ｃ内の３つの例示的なサーバシステムを示すブロック図であり、各サーバシステムは、ウォッチドッグ回路及びファン制御スイッチを有している。この実施例では、システム１００Ｃは、バックプレーン１０５と、３つのサーバシステム１０１−１，１０１−２，１０１−３と、を備える。各サーバシステムは、１つ以上の冷却ファン（例えば、１０２−１，１０２−２，１０２−３）と、ウォッチドッグ回路（例えば、１０３−１，１０３−２，１０３−３）と、ファン制御スイッチ（例えば、１０４−１，１０４−２，１０４−３）と、ベースボード管理コントローラ（ＢＭＣ）（例えば、１０６−１，１０６−２，１０６−３）と、を備える。各サーバシステム（例えば、１０１−１，１０１−２又は１０１−３）のＢＭＣは、ファン制御スイッチを介して、対応するサーバシステムの１つ以上の冷却ファンに接続されており、バックプレーン１０５及び隣接するサーバシステムのファン制御スイッチを介して、隣接するサーバシステムの１つ以上の冷却ファンに接続されている。
【００２６】
この実施例では、ラックシステム１００Ｃ内の特定のサーバシステムのＢＭＣ（例えば、１０６−１，１０６−２又は１０６−３）は、特定のサーバシステムの１つ以上の冷却ファンの状態情報（例えば、各冷却ファンのファン回転状態）と、隣接するサーバシステムの１つ以上の冷却ファンの状態情報と、を受信することができる。特定のサーバシステムのＢＭＣは、特定のサーバシステムの温度情報（例えば、ＣＰＵ、ＨＤＤ又はＢＭＣの温度）を受信することもできる。特定のサーバシステムのファン制御スイッチが内部モードに設定されている場合、ＢＭＣは、受信した温度情報に少なくとも基づいて、特定のサーバシステムの１つ以上の冷却ファンのファン速度を制御することができる。
【００２７】
隣接するサーバシステムのファン制御スイッチが外部モードに設定された場合、ＢＭＣは、隣接するサーバシステムの温度情報（例えば、ＣＰＵ、ＨＤＤ又はＢＭＣの温度）を更に受信することができる。ＢＭＣは、隣接するサーバシステムの受信した温度情報に少なくとも基づいて、隣接するサーバシステムの１つ以上の冷却ファンのファン速度を制御することができる。いくつかの実施例においては、ＢＭＣは、デフォルト又は所定のパラメータに従って、隣接するサーバシステムの１つ以上の冷却ファンのファン速度を制御することができる。
【００２８】
図１Ｄは、本発明の実施形態による、ラックシステム１００Ｅ内の例示的なサーバシステム及び例示的なダミートレイを示すブロック図であり、例示的なサーバシステムは、ウォッチドッグ回路及びファン制御スイッチを有している。この実施例では、システム１００Ｅは、バックプレーン１０５と、サーバシステム１０１−１と、ダミートレイ１０１−２と、を備える。サーバシステム１０１−１は、１つ以上の冷却ファン１０２−１と、ウォッチドッグ回路１０３−１と、ファン制御スイッチ１０４−１と、ＢＭＣ１０６−１と、を備える。ＢＭＣ１０６−１は、ファン制御スイッチ１０４−１を介して、１つ以上の冷却ファン１０２−１に接続されており、バックプレーン１０５及びダミートレイ１０１−２のファン制御スイッチ１０４−２を介して、ダミートレイ１０１−２の１つ以上の冷却ファン１０２−２に接続されている。
【００２９】
この実施例では、ＢＭＣ１０６−１は、１つ以上の冷却ファン１０２−１の状態情報（例えば、各冷却ファンのファン回転状態）と、ダミートレイ１０１−２の１つ以上の冷却ファン１０２−２の状態情報と、を受信することができる。ＢＭＣ１０６−１は、特定のサーバシステム１０１−１の温度情報（例えば、ＣＰＵ又はＢＭＣの温度）を受信することもできる。ファン制御スイッチ１０４−１が内部モードに設定された場合、ＢＭＣ１０６−１は、受信した温度情報に少なくとも基づいて、１つ以上の冷却ファン１０２−１のファン速度を制御することができる。
【００３０】
いくつかの実施例においては、ダミートレイ１０１−２のファン制御スイッチ１０４−２は、ダミートレイ１０１−２内にサーバシステムが検出されたかったことに応じて、自動的に外部モードに設定されてもよい。ＢＭＣ１０６−１は、ダミートレイ１０１−２の温度情報を更に受信してもよい。ＢＭＣ１０６−１は、受信したダミートレイ１０１−２の温度情報に少なくとも基づいて、ダミートレイ１０１−２の１つ以上の冷却ファン１０２−２のファン速度を制御することができる。いくつかの実施例においては、ＢＭＣ１０６−１は、デフォルト又は所定のパラメータに従って、ダミートレイ１０１−２の１つ以上の冷却ファン１０２−２のファン速度を制御することができる。
【００３１】
全体的に、本発明は、従来の解決手段よりも有利である。従来のＢＢＵシステムでは、シャーシ管理コントローラ（ＣＭ）が、通常、ラックシステム内のファンを制御するのに用いられる。ＣＭは、ラックシステムの各ノードから温度情報を受信し、次いで、ファンのファン速度を制御する。本発明は、ラックシステム内のより効率的なファン制御方法を提供する。本発明を実施するラックシステムでは、ＣＭが除去される。コスト及びボードスペースを節約することができる。また、本開示は、ラックシステム内の個々のノードのファン速度の制御を可能にし、ラックシステムの各ノードのファンの冗長なファン速度の制御を可能にすることによって、ファン速度の制御方式の信頼性を向上させる。
【００３２】
図１Ｅは、本発明の実施形態による、ウォッチドッグ回路及びファン制御スイッチを有する例示的なシステム１００Ｅを示すブロック図である。この実施例では、サーバシステム１００Ｅは、少なくとも１つのマイクロプロセッサ又はプロセッサ１１４と、１つ以上の冷却コンポーネント１０２と、メインメモリ（ＭＥＭ）１１３と、バッテリシステム１１０と、少なくとも１つの電源ユニット（ＰＳＵ）１０８と、を含む。少なくとも１つの電源ユニット（ＰＳＵ）１０８は、ＡＣ電源１０７からＡＣ電力を受信し、電源を、サーバシステム１００Ｅの各種コンポーネント（例えば、プロセッサ１１４、バッテリシステム１１０、ノースブリッジ（ＮＢ）ロジック１１５、ＰＣＩｅスロット１６０、サウスブリッジ（ＳＢ）ロジック１１６、ストレージデバイス１１７、ＢＩＯＳ１１８、ＩＳＡスロット１５０、ＰＣＩスロット１７０、ウォッチドッグ回路１０３、冷却制御スイッチ１０４及びコントローラ１０６等）に供給する。電源投入後、サーバシステム１００Ｅは、メモリ、コンピュータストレージデバイス又は外部ストレージデバイスからソフトウェアアプリケーションをロードして、各種操作を実行するように構成されている。ストレージデバイス１１７は、サーバシステム１００Ｅのオペレーティングシステム及びアプリケーションに使用可能な論理ブロック内に構成されており、サーバシステム１００Ｅの電源がオフになっても、サーバデータを保持するように構成されている。
【００３３】
バッテリシステム１１０は、電源１０７又は少なくとも１つのＰＳＵ１０８の何れかが場合に、電力をサーバシステム１００Ｅに供給するように構成されている。メモリ１１３は、ＮＢロジック１１５を介して、プロセッサ１１４に接続され得る。メモリ１１３は、ダイナミックランダムアクセスメモリ（ＤＲＡＭ）、ダブルデータレートＤＲＡＭ（ＤＤＲ  ＤＲＡＭ）、スタティックＲＡＭ（ＳＲＡＭ）又は他のタイプの適切なメモリを含むことができるが、これらに限定されない。メモリ１１３は、サーバシステム１００ＥのＢＩＯＳデータを記憶するように構成されている。いくつかの構成においては、ＢＩＯＳデータは、ストレージデバイス１１７に記憶され得る。
【００３４】
ＢＩＯＳ１１８は、サーバシステム１００Ｅの各種コンポーネントを初期化及び識別するように構成された任意のプログラム命令又はファームウェアであってもよい。ＢＩＯＳ１１８は、サーバシステム１００Ｅのハードウェアコンポーネントの初期化及びテストを担当する重要なシステムコンポーネントである。ＢＩＯＳは、ハードウェアコンポーネントに抽象化レイヤを提供することができるので、アプリケーション及びオペレーティングシステムは、例えば、キーボード、ディスプレイ及び他の入力／出力装置等の周辺機器と相互作用する一貫した方法を提供することができる。
【００３５】
いくつかの構成において、ＢＩＯＳ１１８は、対応するサーバシステム上のオペレーティングシステム（ＯＳ）（例えば、Ｍｉｃｒｏｓｏｆｔ  Ｗｉｎｄｏｗｓ（登録商標）  ＯＳ、Ｌｉｎｕｘ（登録商標）  ＯＳ又は任意のオペレーティングシステム）を起動する前に、システムチェックを実行することができる。システムチェックは、対応するサーバシステムの初期化中に実行される診断システム検査である。システムチェックの例には、パワーオンセルフテスト（ＰＯＳＴ）が含まれる。ＢＩＯＳは、ＰＯＳＴの主な機能を処理することができ、特定の周辺装置（例えば、ビデオ及びスモールコンピュータシステムインタフェース（ＳＣＳＩ）初期化）を初期化するように設計された他のプログラムへの負荷をオフロードすることができる。ＰＯＳＴの主な機能は、ＣＰＵレジスタとＢＩＯＳコードの整合性の確認と、基本コンポーネントのチェックと、システムのメインメモリの検査と、他の専用のＢＩＯＳ拡張に制御を渡すことと、を含んでもよい。いくつかの構成において、ＢＩＯＳは、全てのシステムバス及びデバイスの発見、初期化及びカタログ化と、システム構成を更新するユーザインタフェースの提供と、オペレーティングシステムが必要とするシステム環境の構築と、を含むＰＯＳＴの追加機能を処理してもよい。
【００３６】
システム１００Ｅにおいて、ストレージデバイス１１７は、ある期間のプログラム命令又はデータを記憶するように構成された任意の記憶媒体であってもよい。ストレージデバイスは、コントローラ１０６とプロセッサ１１４との間の共有メモリとすることができる。いくつかの構成において、ストレージデバイスは、独立したストレージデバイスとすることができる。ストレージデバイスは、フラッシュドライブ、ランダムアクセスメモリ（ＲＡＭ）、不揮発性ランダムアクセスメモリ（ＮＶＲＡＭ）、読み出し専用メモリ、又は、電気的に消去可能なプログラマブルＲＯＭ（ＥＥＰＲＯＭ）であってもよい。ストレージデバイスは、例えばＢＩＯＳデータ等のシステム構成を記憶するように構成されている。
【００３７】
プロセッサ１１４は、特定の機能のプログラム命令を実行するように構成された中央処理装置（ＣＰＵ）であってもよい。例えば、プロセッサは、ブートプロセスの間、ストレージデバイス１１７に記憶されたＢＩＯＳデータにアクセスし、ＢＩＯＳ１１８を実行してサーバシステム１００Ｅを初期化することができる。プロセッサ１１４は、ブートプロセスの後に、サーバシステム１００Ｅの特定のタスクを実行して管理するために、オペレーティングシステムを実行することができる。
【００３８】
いくつかの構成では、プロセッサ１１４は、マルチコアプロセッサであってもよく、各プロセッサは、ＮＢロジック１１５に接続されたＣＰＵバスを介して互いに接続されている。いくつかの構成において、ＮＢロジック１１５は、プロセッサ１１４に組み込まれ得る。ＮＢロジック１１５は、複数の周辺機器相互接続エクスプレス（ＰＣＩｅ）スロット１６０及びＳＢロジック１１６（オプション）にも接続され得る。複数のＰＣＩｅスロット１６０は、例えば、ＰＣＩエクスプレスｘ１、ＵＳＢ２．０、ＳＭＢｕｓ、ＳＩＭカード、他のＰＣＩｅレーン用の将来の拡張、１．５Ｖ及び３．３Ｖの電源、並びに、サーバシステム１００Ｅのシャーシ上の診断ＬＥＤへの配線等の接続及びバスに使用することができる。
【００３９】
システム１００Ｅにおいて、ＮＢロジック１１５及びＳＢロジック１１６は、周辺機器相互接続（ＰＣＩ）バス１１２によって接続されている。ＰＣＩバス１１２は、プロセッサ１１４の何れかのネイティブバスから独立した標準化されたフォーマットであるが、プロセッサ１１４上の機能をサポートすることができる。ＰＣＩバス１１２は、複数のＰＣＩスロット１７０（例えば、ＰＣＩスロット１７１）に接続され得る。ＰＣＩバス１１２に接続するデバイスは、ＣＰＵバスに直接接続され、プロセッサ１１４のアドレス空間のアドレスが割り当てられ、単一バスクロックと同期されるように、バスコントローラ（図示省略）に現れてもよい。複数のＰＣＩスロット１７０で使用可能なＰＣＩカードは、ネットワークインタフェースカード（ＮＩＣ）、サウンドカード、モデム、ＴＶチューナーカード、ディスクコントローラ、ビデオカード、スカジー（ＳＣＳＩ）アダプター、及び、ＰＣメモリカード国際協会（Personal Computer Memory Card International Association；ＰＣＭＣＩＡ）を含むが、これらに限定されない。
【００４０】
ＳＢロジック１１６は、拡張バスを介して、ＰＣＩバス１１２を、複数の拡張カード又はＩＳＡスロット１５０（例えば、ＩＳＡスロット１５１）に接続することができる。拡張バスは、ＳＢロジック１１６と周辺装置との間の通信に用いられるバスであってもよく、ＩＳＡ（Industry Standard Architecture）バス、ＰＣ／１０４バス、ローピンカウントバス（low pin count bus）、拡張ＩＳＡ（Extended  ＩＳＡ（ＥＩＳＡ））バス、ユニバーサルシリアルバス（ＵＳＢ）、ＩＤＥ（Integrated Drive Electronics）バス、又は、周辺装置のデータ通信に使用可能な他の適切なバスを含んでもよいが、これらに限定されない。
【００４１】
システム１００Ｅでは、ＳＢロジック１１６は、少なくとも１つのＰＳＵ１０２に接続されたコントローラ１０６に接続されている。いくつかの実施形態において、コントローラ１０６は、ベースボード管理コントローラ（ＢＭＣ）、ラック管理コントローラ（ＲＭＣ）、又は、本明細書で開示された機能を実行するのに使用可能な、メイン中央処理装置（例えば、プロセッサ１１４）から独立した他のタイプのサービスコントローラであってもよい。
【００４２】
この実施例では、ウォッチドッグ回路１０３は、コントローラ１０６の健全性を監視することができ、コントローラ１０６が異常であると判別したことに応じて、冷却制御スイッチ１０４を外部モードに設定し、同じラックシステム内の隣接するサーバシステムのコントローラが冷却コンポーネント１０２を制御できるようにする。例えば、ウォッチドッグ回路１０３は、コントローラ１０６からハートビート信号を受信することができる。ウォッチドッグ回路１０３は、所定期間内にハートビート信号が受信されていないと判別したことに応じて、コントローラ１０６が異常であると判別し、冷却制御スイッチ１０４を外部モードに設定し、隣接するサーバシステムのコントローラが冷却コンポーネント１０２を制御できるようにする。
【００４３】
いくつかの実施形態においては、ウォッチドッグ回路１０３は、コントローラ１０６の健全性をアクティブに監視することができる。ウォッチドッグ回路１０３は、コントローラ１０６が異常動作した場合、コントローラ１０６が異常であると判別して、特定のサーバシステムのファン制御スイッチを外部モードに設定することができる。
【００４４】
いくつかの構成においては、コントローラ１０６及びウォッチドッグ回路１０３は、共に少なくとも１つのＰＳＵ１０８に接続されており、少なくとも１つのＰＳＵ１０２から電源１０７及びＰＳＵ１０８の状態情報を受信することができる。例えば、コントローラ１０６及びウォッチドッグ回路１０３は、少なくとも１つのＰＳＵ１０２から電圧、電流及び温度データを受信することができる。ウォッチドッグ回路１０３は、ＡＣ電源１０７及びＰＳＵ１０８が正常である場合にのみ、冷却制御スイッチ１０４を外部モードに設定する。
【００４５】
コントローラ１０６は、受信したデータに基づいて、少なくとも１つのＰＳＵ１０２の動作を管理することができる。例えば、コントローラ１０６は、少なくとも１つのＰＳＵ１０２の電源をオン又はオフにすることができ、又は、少なくとも１つのＰＳＵ１０８のうちいくつかの電源をオンにし、残りのＰＳＵの電源をオフにすることができる。いくつかの実施例においては、コントローラ１０６は、ＳＭＢｕｓ、Ｉ２Ｃ又はＰＭＢｕｓを介して、少なくとも１つのＰＳＵ１０８と通信することができる。
【００４６】
コントローラ１０６は、冷却コンポーネント１０２の状態情報（例えば、各冷却コンポーネントの状態）と、サーバシステム１００Ｅの温度情報（例えば、プロセッサ１１４、ストレージデバイス１１７、メモリ１１３又はコントローラ１０６の温度）と、を受信することができる。コントローラ１０６は、冷却制御スイッチ１０４が内部モードに設定された場合、受信した温度情報に少なくとも基づいて、冷却コンポーネント１０２を制御することができる。
【００４７】
いくつかの実施例においては、コントローラ１０６は、冷却コンポーネントの状態情報（例えば、各冷却コンポーネントの状態）と、隣接するサーバシステム（図示省略）の温度情報（例えば、プロセッサ、ストレージデバイス、メモリ又はコントローラの温度）と、を更に受信することができる。コントローラ１０６は、隣接するサーバシステムのファン制御スイッチが外部モードに設定された場合、受信した冷却コンポーネントの温度情報及び／又は隣接するサーバシステムの温度情報に少なくとも基づいて、隣接するサーバシステムの冷却コンポーネントを制御することができる。いくつかの他の実施例では、コントローラ１０６は、デフォルト又は所定のパラメータに従って、隣接するサーバシステムの冷却コンポーネントを制御することができる。
【００４８】
いくつかの構成においては、コントローラ１０６は、インテリジェントプラットフォーム管理バス／ブリッジ（ＩＰＭＢ）を用いたインテリジェントプラットフォーム管理インタフェース（ＩＰＭＩ）メッセージを介して、プロセッサ１１４及びストレージデバイス１１７と通信することができる。ＩＰＭＢは、Ｉ２Ｃバスの拡張された実装（enhanced implementation）であり、メッセージベースでハードウェアレベルの基本インタフェース仕様である。
【００４９】
いくつかの実施形態においては、コントローラ１０６は、電源パターン、サーバラック及び／又はデータセンタの温度、データセンタに関連する停電警告、処理要求、並びに、サーバシステム１００Ｅのコンポーネント及び／又は接続状態を監視するように構成されてもよい。潜在的な／想定される（potential/anticipated）ＡＣ停電に少なくとも基づいて、コントローラ１０６は、サーバシステムのプロセス１００Ｅを、潜在的な／想定されるＡＣ停電の影響を受けない他のサーバシステムに転送するように構成されてもよく、バッテリシステム１１０がサーバシステム１００Ｅに電力を供給するように準備しておくことができる。
【００５０】
図１Ａ、図１Ｂ、図１Ｃ、図１Ｄ及び図１Ｅの例示的なシステム１００Ａ，１００Ｂ，１００Ｃ，１００Ｄ，１００Ｅには特定のコンポーネントのみが示されているが、例示的なシステム１００Ａ，１００Ｂ，１００Ｃ，１００Ｄ，１００Ｅには、データを処理若しくは記憶することができ、又は、信号を受信若しくは送信することができる様々なタイプの電子コンポーネント又はコンピュータコンポーネントが含まれてもよい。さらに、例示的なシステム１００Ａ，１００Ｂ，１００Ｃ，１００Ｄ，１００Ｅ内の電子コンポーネント又はコンピュータコンポーネントは、様々なタイプのアプリケーションを実行するように構成されてもよく、及び／又は、様々なタイプのオペレーティングシステムを使用することができる。これらのオペレーティングシステムには、Ａｎｄｒｏｉｄ（登録商標）、バークレイソフトウェアディストリビューション（ＢＳＤ）、ｉＰｈｏｎｅ（登録商標）  ＯＳ（ＩＯＳ）、Ｌｉｎｕｘ（登録商標）、ＯＳ  Ｘ、Ｕｎｉｘ系リアルタイムオペレーティングシステム（例えば、ＱＮＸ等）、Ｍｉｃｒｏｓｏｆｔ  Ｗｉｎｄｏｗｓ（登録商標）、Ｗｉｎｄｏｗ  Ｐｈｏｎｅ、及び、ＩＢＭ  ｚ／ＯＳ（登録商標）等が含まれるが、これらに限定されない。
【００５１】
例示的なシステム１００Ａ，１００Ｂ，１００Ｃ，１００Ｄ，１００Ｅの所望の実施形態に従って、様々なネットワークプロトコル及びメッセージプロトコル（例えば、ＴＣＰ／ＩＰ、開放型システム間相互接続（ＯＳＩ）、ファイル転送プロトコル（ＦＴＰ）、ユニバーサルプラグアンドプレイ（ＵｐｎＰ）、ネットワークファイルシステム（ＮＦＳ）、顧問インターネットファイルシステム（ＣＩＦＳ）、ＡｐｐｌｅＴａｌｋ（登録商標）等が含まれるが、これらに限定されない）が用いられる。当業者であれば理解できるように、図１Ａ，図１Ｂ，図１Ｃ，図１Ｄ，図１Ｅに示される例示的なシステム１００Ａ，１００Ｂ，１００Ｃ，１００Ｄ，１００Ｅは、説明の目的のために用いられている。従って、ネットワークシステムは、必要に応じて多くのバリエーションで実装することができるが、本発明の様々な実施例によるネットワークプラットフォームの構成を提供する。
【００５２】
図１Ａ，図１Ｂ，図１Ｃ，図１Ｄ，図１Ｅでは、例示的なシステム１００Ａ，１００Ｂ，１００Ｃ，１００Ｄ，１００Ｅは、特定のワイヤレスチャネルの計算範囲内で１つ以上の電子デバイスと通信するように動作可能な１つ以上のワイヤレスコンポーネントを含むことができる。ワイヤレスチャネルは、デバイスが無線通信するために使用される任意の適切なチャネル（例えばブルートゥース（登録商標）、セルラー（cellular）、ＮＦＣ又はＷｉ−Ｆｉ（登録商標）チャネル等）であってもよい。このデバイスは、従来技術で知られているように、１つ以上の従来の有線通信接続を有し得ることを理解されたい。各種実施形態の範囲内において、様々な他の要素及び／又は組み合わせが可能である。
【００５３】
図２Ａは、本技術の実施形態による、ラックシステム内の１つ以上の冷却装置を管理する例示的な方法２００Ａを示す図である。理解すべきことは、例示的な方法２００Ａは単なる例示であり、本発明による他の方法では、類似若しくは代替の順序で、又は、並行して実行される追加の、より少ない、若しくは、代替のステップを含み得ることを理解されたい。例示的な方法２００Ａは、ステップ２０２から開始する。ステップ２０４では、図１Ａ〜図１Ｄに示すように、ウォッチドッグ回路は、ラックシステム内のサーバシステムの特定のコントローラ（例えば、ＢＭＣ又はプロセッサ）の健全性情報を受信することができる。いくつかの実施例においては、ウォッチドッグ回路は、特定のコントローラからハートビート信号を受信することができる。いくつかの実施例においては、ウォッチドッグ回路は、特定のコントローラの健全性をアクティブにテストすることができる。
【００５４】
ステップ２０６では、ウォッチドッグ回路は、図１Ａ〜図１Ｄに示すように、特定のコントローラが正常か否かを判別することができる。ウォッチドッグ回路は、サーバシステムのＡＣ電源及び電源ユニット（ＰＳＵ）の状態情報を更に受信することができる。ステップ２０８では、ウォッチドッグ回路は、特定のコントローラが異常である場合に、ＡＣ電源及びＰＳＵが正常であるか否かを更に判別することができる。
【００５５】
ステップ２１０では、ウォッチドッグ回路は、図１Ａ〜図１Ｄに示すように、特定のコントローラが異常であるか無応答であり、且つ、ＰＳＵ及びＡＣ電源が共に正常である場合に、サーバシステムの冷却制御スイッチを外部モードに設定することができ、さらに、ラックシステム内の隣接するサーバシステムの異なるコントローラが、サーバシステムの１つ以上の冷却コンポーネントを制御できるようにする。方法２００Ａは、ステップ２１６で終了する。
【００５６】
ステップ２１４では、ウォッチドッグ回路は、図１Ａ〜図１Ｄに示すように、特定のコントローラが正常であるか、ＰＳＵ又はＡＣ電源の何れかが異常である場合に、サーバシステムの冷却制御スイッチを内部モードに設定することができる。次いで、方法２００Ａは、ステップ２０４に戻る。
【００５７】
図２Ｂは、本技術の実施形態による、ラックシステム内の１つ以上の冷却装置を管理する例示的な方法２００Ｂを示す図である。例示的な方法２００Ａは、単なる一例であり、本開示の他の方法では、類似若しくは代替の順序で又は並行して実行される、追加のステップ、より少ないステップ、又は、代替のステップを含むことができることを理解されたい。例示的な方法２００Ｂは、ステップ２２０から開始する。ステップ２２２では、図１Ａ〜図１Ｄに示すように、ラックシステム内の特定のノードのコントローラ（例えば、ＢＭＣ又はプロセッサ）は、特定のノードの１つ以上の冷却コンポーネントの状態情報を受信することができる。いくつかの実施例においては、コントローラは、特定のノードの温度情報（例えば、ＣＰＵ、特定のコントローラ又はハードドライブ（ＨＤＤ）の温度）を更に受信することができる。
【００５８】
ステップ２２４では、コントローラは、図１Ａ〜図１Ｄに示すように、特定のノードの冷却制御スイッチが内部モードに設定された場合に、１つ以上の冷却コンポーネントの状態情報及び／又は特定のノードの温度情報に少なくとも基づいて、１つ以上の冷却コンポーネントを制御することができる。
【００５９】
ステップ２２６では、コントローラは、図１Ａ〜図１Ｄに示すように、ラックシステム内の隣接ノードの１つ以上の冷却コンポーネントの状態情報を受信することができる。いくつかの実施例では、コントローラは、隣接ノードの温度情報（ＣＰＵ、特定のコントローラ又ははハードドライブ（ＨＤＤ）の温度）を更に受信することができる。
【００６０】
ステップ２２８では、コントローラは、隣接ノードの冷却制御スイッチが外部モードに設定されているか否かを更に判別することができる。コントローラは、隣接ノードの冷却制御スイッチが外部モードに設定されている場合に、少なくとも隣接ノードの１つ以上の冷却コンポーネントの状態情報又は隣接ノードの温度情報に基づいて命令を送信することによって、隣接ノードの１つ以上の冷却コンポーネントを制御することができる。方法２００Ｂは、ステップ２３２で終了する。
【００６１】
上記の議論は、本発明の原理及び各種実施例を例示することを意図している。上述した開示内容が完全に理解されると、各種の変更や修正がなされることが明らかになるであろう。
【００６２】
（専門用語）
コンピュータネットワークは、エンドポイント（例えば、パーソナルコンピュータとワークステーション）間でデータを伝送するための通信リンク及びセグメントによって相互接続された、地理的に分散したノードの集合である。ローカルエリアネットワーク（ＬＡＮ）及び広域ネットワーク（ＷＡＮ）からオーバーレイ及びソフトウェア定義ネットワーク（例えば、仮想拡張可能ローカルエリアネットワーク（ＶＸＬＡＮ））まで、多くのタイプのネットワークを利用することができる。
【００６３】
ＬＡＮは、通常、同一の物理位置（例えば、ビルやキャンパス等）に位置する専用のプライベート通信リンクを介して、ノードと通信する。一方、ＷＡＮは、通常、長距離通信リンク（例えば、一般的なキャリア電話回線、光路、同期型光学ネットワーク（ＳＯＮＥＴ）又は同期デジタル階層（ＳＤＨ）リンク等）を介して、地理的に分散したノードを接続する。ＬＡＮ及びＷＡＮは、レイヤ２（Ｌ２）、及び／又は、レイヤ３（Ｌ３）ネットワークと装置とを含むことができる。
【００６４】
インターネットは、世界中の異なるネットワークを接続するＷＡＮの一例であり、各種ネットワークのノード間にグローバル通信を提供する。ノードは、通常、所定のプロトコル（例えば、通信制御プロトコル／インターネットプロトコル（ＴＣＰ／ＩＰ））に従って、データの個別のフレーム又はパケットを交換することによって、ネットワークを介して通信する。この文脈では、プロトコルは、ノードが互いにどのように相互作用するかを定義する一組のルールを参照することができる。コンピュータネットワークは、中間ネットワークノード（例えば、ルータ）によってさらに相互接続されており、各ネットワークの有効な「サイズ」を拡張する。
【００６５】
オーバーレイネットワークは、通常、物理ネットワークインフラストラクチャ上に仮想ネットワークを生成し、階層化することを可能にする。オーバーレイネットワークプロトコル（例えば、仮想拡張可能ＬＡＮ（ＶＸＬＡＮ）、汎用ルーティングのカプセル化を用いたネットワーク仮想化（ＮＶＧＲＥ）、ネットワーク仮想化オーバーレイ（ＮＶＯ３）、及び、ステートレストランスポートトンネリング（ＳＴＴ）等）は、ネットワークトラフィックが、論理トンネルを介して、Ｌ２及びＬ３ネットワークで実行できるようにするトラフィックカプセル化スキームを提供する。このような論理トンネルは、仮想トンネルエンドポイント（ＶＴＥＰｓ）を介して発信及び終了することができる。
【００６６】
さらに、オーバーレイネットワークは、ＶＭが通信する仮想Ｌ２及び／又はＬ３オーバーレイネットワークを含むことの可能な仮想セグメント（例えば、ＶＸＬＡＮオーバーレイネットワーク内のＶＸＬＡＮセグメント）を有することができる。仮想セグメントは、関連する仮想セグメント又はドメインを具体的に識別することができる例えばＶＸＬＡＮネットワーク識別子等の仮想ネットワーク識別子（ＶＮＩ）を介して識別することができる。
【００６７】
ネットワーク仮想化は、ハードウェア及びソフトウェアリソースを仮想ネットワーク内で組み合わせることを可能にする。例えば、ネットワーク仮想化では、複数のＶＭを、各々の仮想ＬＡＮ（ＶＬＡＮ）を介して物理ネットワークに接続することができるようにする。ＶＭは、各々のＶＬＡＮに従ってグループ化することができ、内部又は外部ネットワーク上の他の装置と同様に、他のＶＭと通信することができる。
【００６８】
ネットワークセグメント（例えば、物理セグメント若しくは仮想セグメント、ネットワーク、装置、ポート、物理リンク若しくは論理リンク、及び／又はトラフィック等）は、通常、ブリッジ又はフラッドドメイン（flood domain）にグループ化される。ブリッジドメイン又はフラッドドメインは、ブロードキャストドメイン（例えば、Ｌ２ブロードキャストドメイン）を表す。ブリッジドメイン又はフラッドドメインは、単一のサブネットを有し得るが、複数のサブネットを有してもよい。さらに、ブリッジドメインは、ネットワーク装置（例えば、スイッチ）上のブリッジドメインインタフェースに関連付けることができる。ブリッジドメインインタフェースは、Ｌ２ブリッジネットワークとＬ３ルーテッドネットワークとの間のトラフィックをサポートする論理インタフェースであってもよい。この他、ブリッジドメインインタフェースは、インターネットプロトコル（ＩＰ）ターミネーション、ＶＰＮターミネーション、アドレス解決処理、ＭＡＣアドレッシング等をサポートしてもよい。ブリッジドメインとブリッジドメインインタフェースは、同じインデックス又は識別子により識別される。
【００６９】
また、アプリケーションをネットワークにマッピングするために、エンドポイントグループ（ＥＰＧ）をネットワークで使用することができる。特に、ＥＰＧは、ネットワーク内のアプリケーションエンドポイントのグルーピングを用いて、接続性及びポリシーをアプリケーショングループに適用することができる。ＥＰＧは、バケットのコンテナ若しくはアプリケーションの集合、又は、アプリケーションコンポーネント、並びに、転送及びポリシーロジックを実行する段（tiers）として機能することができる。さらに、ＥＰＧは、論理的なアプリケーション境界を代わりに用いて、ネットワークポリシー、セキュリティ、及び、アドレッシングからの転送の分離を可能にする。
【００７０】
クラウドコンピューティングは、共有リソースを用いてコンピューティングサービスを提供するために、１つ以上のネットワーク中に提供され得る。クラウドコンピューティングは、通常、コンピューティングリソースが動的にプロビジョニングされ、ネットワーク（例えば、クラウド）を介して利用可能なリソースの集合からオンデマンドでクライアントコンピュータ若しくはユーザコンピュータ又は他の装置に割り当てられるインターネットベースのコンピューティングを含むことができる。クラウドコンピューティングリソースは、例えば、コンピューティング、ストレージ、ネットワーク装置及び仮想マシン（ＶＭ）等の任意のタイプのリソースを有することができる。例えば、リソースは、サービス装置（ファイヤウォール、ディープパケットインスペクタ、トラフィックモニタ、ロードバランサ等）、計算／処理装置（サーバ、ＣＰＵ、メモリ、ブルートフォース処理機能）、ストレージデバイス（例えば、ネットワーク接続ストレージ、ストレージエリアネットワーク装置）等を有することができる。また、かかるリソースが用いられて、仮想ネットワーク、仮想マシン（ＶＭ）、データベース、アプリケーション（Ａｐｐｓ）等をサポートすることができる。
【００７１】
クラウドコンピューティングリソースは、「プライベートクラウド」、「パブリッククラウド」及び／又は「ハイブリッドクラウド」を有することができる。「ハイブリッドクラウド」は、技術を介して相互運用（inter-operate）又は連携（federate）する２つ以上のクラウドから構成されるクラウドインフラストラクチャとすることができる。本質的に、ハイブリッドクラウドは、プライベートクラウドがパブリッククラウドに加わり、パブリッククラウドリソースを安全且つスケーラブルに利用する、プライベートクラウド及びパブリッククラウド間の相互作用である。また、クラウドコンピューティングリソースは、ＶＸＬＡＮ等のオーバーレイネットワーク内の仮想ネットワークを介して、プロビジョニングすることができる。
【００７２】
ネットワークスイッチシステムにおいて、ルックアップデータベースを維持して、スイッチシステムに接続されたいくつかのエンドポイント間のルートを追跡することができる。しかしながら、エンドポイントは、様々な構成を有することができ、且つ、多数のテナントに関連付けられている。これらのエンドポイントは、各種識別子（例えば、ＩＰｖ４、ＩＰｖ６又はレイヤ２（layer-2）等）を有することができる。ルックアップデータベースは、異なるタイプのエンドポイント識別子を処理するために、異なるモードで構成される必要がある。ルックアップデータベースの容量は、着信パケットの異なるアドレスタイプを処理するように設計される。さらに、ネットワークスイッチシステム上のルックアップデータベースは、通常、１Ｋ仮想ルーティング及び転送（ＶＲＦｓ）によって制限される。これにより、各種タイプのエンドポイント識別子を処理するために、改善されたルックアップアルゴリズムが必要とされている。本発明の技術は、電気通信ネットワークにおけるアドレスルックアップに必要な技術を提供する。本発明は、エンドポイント識別子を一様な空間にマッピングし、異なる形式のルックアップを一様に処理することによって、様々なタイプのエンドポイント識別子を統合するためのシステム、方法及びコンピュータ可読記憶媒体を開示する。例示的なシステム及びネットワークの手短な前置きは、図３と図４に示されるように、本明細書に開示される。これらの変形例は各種実施形態において説明される。本技術について図３を参照する。
【００７３】
図３は、本発明を実行するのに適したコンピューティングデバイス３００の一例を示す図である。コンピューティングデバイス３００は、マスタ中央処理装置（ＣＰＵ）３６２と、インタフェース３６８と、バス３１５（例えば、ＰＣＩバス）と、を有する。ＣＰＵ３６２は、適切なソフトウェア又はファームウェアの制御下で動作する場合、パケット管理、エラー検出、及び／又は、例えば配線ミス検出機能等のルーティング機能の実行を担う。ＣＰＵ３６２は、好ましくは、オペレーティングシステム及び任意の適切なアプリケーションソフトウェアを含むソフトウェアの制御下で、これらの全ての機能を実現する。ＣＰＵ３６２は、Ｍｏｔｏｒｏｌａファミリのマイクロプロセッサ又はＭＩＰＳファミリのマイクロプロセッサ等の１つ以上のプロセッサ３６３を含むことができる。他の実施形態において、プロセッサ３６３は、コンピューティングデバイス３００の操作を制御するために特別に設計されたハードウェアである。特定の実施形態において、メモリ３６１（例えば、不揮発性ＲＡＭ及び／又はＲＯＭ）は、さらに、ＣＰＵ３６２の一部を形成する。しかし、メモリをシステムに接続し得る多くの異なる方法がある。
【００７４】
インタフェース３６８は、通常、インタフェースカード（「ラインカード」と呼ばれることもある）として提供される。一般に、それらは、ネットワークを介して、データパケットの送受信を制御し、コンピューティングデバイス３００で使用される他の周辺装置をサポートすることがある。インタフェースの中から、イーサネット（登録商標）インタフェース、フレームリレーインタフェース、ケーブルインタフェース、ＤＳＬインタフェース、トークンリングインタフェース等を使用することができる。また、各種超高速インタフェースは、高速トークンリングインタフェース、ワイヤレスインタフェース、イーサネット（登録商標）インタフェース、ギガビットイーサネット（登録商標）インタフェース、ＡＴＭインタフェース、ＨＳＳＩインタフェース、ＰＯＳインタフェース、ＦＤＤＩインタフェース等を使用することができる。一般に、これらのインタフェースは、適切な媒体と通信する適切なポートを有する。いくつかの実施形態において、インタフェースは、さらに、独立したプロセッサと、場合によっては揮発性ＲＡＭと、を有する。独立したプロセッサは、パケット交換、媒体制御及び管理等の通信集中型タスクを制御することができる。通信集中タスク型用に別個のプロセッサを提供することにより、これらのインタフェースは、マスタマイクロプロセッサ３６２が、ルーティング計算、ネットワーク診断、セキュリティ機能等を効率的に実行できるようにする。
【００７５】
図３に示されるシステムは、本発明の１つの特定コンピューティングデバイスであるが、本発明の唯一のネットワーク装置構造であることを意味するのではない。例えば、通信やルーティング計算等を処理する単一のプロセッサを有するアーキテクチャが頻繁に用いられる。さらに、別のタイプのインタフェース及び媒体も、ルータと共に使用することができる。
【００７６】
ネットワークデバイスの構成にかかわらず、本明細書に記載のローミング、ルート最適化及びルーティング機能を実行する汎用ネットワーク操作及びメカニズムのためのプログラム命令を記憶するように構成された１つ以上のメモリ又はメモリモジュール（メモリ３６１を有する）を使用することができる。プログラム命令は、オペレーティングシステム、及び／又は、１つ以上のアプリケーションの操作を制御することができる。メモリ又は複数のメモリは、モビリティバインディング、登録及び関連テーブル等のテーブルを記憶するように構成することができる。
【００７７】
図４及び図５は、本発明の実施形態による例示的なシステムを示す図である。本発明の技術を実施する場合、当業者であれば、より適切な実施形態を理解することができるであろう。当業者であれば、他のシステムの実施形態も可能であることが理解できるであろう。
【００７８】
図４は、システムバスコンピューティングシステム機構４００を示す図であり、システムのコンポーネントは、バス４０２を用いて互いに電気的に通信する。例示的なシステム４００は、処理ユニット（ＣＰＵ又はプロセッサ）４３０と、システムバス４０２と、を有する。システムバス４０２は、システムメモリ４０４（例えば、リードオンリメモリ（ＲＯＭ）４０６及びランダムアクセスメモリ（ＲＡＭ）４０８）を含む各種システムコンポーネントをプロセッサ４３０に接続する。システム４００は、高速メモリのキャッシュを有し、キャッシュは、プロセッサ４３０に直接接続され、プロセッサ４３０に隣接して接続され、又は、プロセッサ４３０の一部として統合されてもよい。システム４００は、プロセッサ４３０による高速アクセスのために、メモリ４０４及び／又はストレージデバイス４１２からキャッシュ４２８にデータをコピーしてもよい。この方法において、キャッシュは、プロセッサ４３０がデータを待つ間に遅延が生じるのを防止する性能向上を提供する。これら及び他のモジュールは、様々な動作を制御するためにプロセッサ４３０を制御するように構成される。別のシステムメモリ４０４も同様に使用可能である。メモリ４０４は、異なるパフォーマンス特性を有する複数の異なるタイプのメモリを有することができる。プロセッサ４３０は、プロセッサ４３０を制御するように構成されたストレージデバイス４１２に記憶されたモジュール１  ４１４、モジュール２  ４１６及びモジュール３  ４１８等の任意の汎用目的プロセッサ及びハードウェアモジュール又はソフトウェアモジュールを含むことができ、ソフトウェア命令は、実際のプロセッサ設計に組み込まれる。プロセッサ４３０は、実質的に、複数のコア又はプロセッサ、バス、メモリコントローラ、キャッシュ等を含む完全に独立したコンピューティングシステムであってもよい。マルチコアプロセッサは、対称又は非対称であってもよい。
【００７９】
ユーザがコンピューティングデバイス４００と相互作用できるようにするため、入力デバイス４２０は、任意の数の入力メカニズム（例えば、スピーチ用のマイクロフォン、ジェスチャ又はグラフィカル入力用のタッチスクリーン、キーボード、マウス、モーション入力等）を表すことができる。出力デバイス４２２は、従来の技術で知られる１つ以上の数の出力メカニズムである。場合によっては、マルチモーダルシステムは、ユーザが、コンピューティングデバイス４００と通信するために、複数のタイプの入力を提供できるようにする。通信インタフェース４２４は、通常、ユーザ入力及びシステム出力を支配及び管理することができる。特定のハードウェア構成における操作に制限がないため、ここでの基本的な特徴は、改良されたハードウェアやファームウェアの構成が開発されるときに容易に置き換えることができる。
【００８０】
ストレージデバイス４１２は不揮発性メモリであり、ハードディスク、又は、コンピュータがアクセス可能なデータを記憶することの可能な他のタイプのコンピュータ可読媒体（例えば、磁気カセット、フラッシュメモリカード、ソリッドステートメモリ装置、デジタル多用途ディスク、カートリッジ、ランダムアクセスメモリ（ＲＡＭ）４０８、リードオンリメモリ（ＲＯＭ）４０６及びこれらの組み合わせ等）であってもよい。
【００８１】
ストレージデバイス４１２は、プロセッサ４３０を制御するためにソフトウェアモジュール４１４，４１６，４１８を有してもよい。他のハードウェア又はソフトウェアモジュールも含まれ得る。ストレージデバイス４１２は、システムバス４０２に接続されてもよい。一実施形態において、特定の機能を実行するハードウェアモジュールは、機能を実行するために、必要なハードウェアコンポーネント（例えば、プロセッサ４３０、バス４０２、ディスプレイ４３６等）と接続するコンピュータ読み取り可能媒体に記憶されたソフトウェアコンポーネントを含むことができる。
【００８２】
コントローラ４１０は、システム４００上の特殊なマイクロコントローラ又はプロセッサ（例えば、ＢＭＣ（ベースボード管理コントローラ））であってもよい。場合によっては、コントローラ４１０は、インテリジェントプラットフォーム管理インタフェース（ＩＰＭＩ）の一部であってもよい。さらに、場合によっては、コントローラ４１０は、システム４００のマザーボード又はメイン回路基板に組み込まれてもよい。コントローラ４１０は、システム管理ソフトウェアとプラットフォームハードウェアとの間のインタフェースを管理することができる。また、コントローラ４１０は、以下に説明するように、例えばコントローラ又は周辺コンポーネント等の各種システムデバイス及びコンポーネント（内部、及び／又は、外部）と通信することができる。
【００８３】
コントローラ４１０は、通知、警告及び／又はイベントに対する特定の応答を生成し、遠隔装置又はコンポーネント（例えば、電子メールメッセージ、ネットワークメッセージ等）と通信し、自動ハードウェア障害回復工程等の指令や命令を生成する。システム管理者は、以下に更に説明するように、コントローラ４１０と遠隔通信して、特定のハードウェア障害回復工程又は操作を開始又は実行することができる。
【００８４】
システム４００上の異なるタイプのセンサ（例えば、センサ４２６）は、例えば、冷却ファン速度、電源状態、オペレーティングシステム（ＯＳ）状態、ハードウェア状態等のパラメータをコントローラ４１０に報告することができる。コントローラ４１０は、コントローラ４１０により受信されたイベント、警告、通知を管理及び記憶するシステムイベントログコントローラ及び／又はストレージを有してもよい。例えば、コントローラ４１０又はシステムイベントログコントローラは、１つ以上の装置及びコンポーネントからの警告や通知を受信し、当該警告や通知をシステムイベントログストレージコンポーネント内に維持することができる。
【００８５】
フラッシュメモリ４３２は、ストレージ及び／又はデータ転送に用いられるシステム４００によって使用される電子不揮発性コンピュータストレージ媒体又はチップであってもよい。フラッシュメモリ４３２は、電気的に消去及び／又は再プログラムされ得る。フラッシュメモリ４３２は、例えば、消去可能なプログラマブルＲＯＭ（ＥＰＲＯＭ）、電気的に消去可能なプログラマブルＲＯＭ（ＥＥＰＲＯＭ）、ＲＯＭ、ＮＶＲＡＭ、又は、相補型ＭＯＳ（ＣＭＯＳ）を有する。フラッシュメモリ４３２は、システム４００が起動するときに、システム４００により実行されるファームウェア４３４を、ファームウェア４３４に対して指定されたセットとともに記憶することができる。さらに、フラッシュメモリ４３２は、ファームウェア４３４により用いられる構成を記憶することができる。
【００８６】
ファームウェア４３４は、基本入力／出力システム（ＢＩＯＳ）又はその後継品、等価物（例えば、エクステンシブルファームウェアインタフェース（ＥＦＩ）又はユニファイドエクステンシブルファームウェアインタフェース（ＵＥＦＩ））を有する。システム４００が起動される毎に、ファームウェア４３４は、シーケンスプログラムとしてロードされ、実行される。ファームウェア１３４は、構成のセットに基づいて、システム４００に存在するハードウェアを識別、初期化、テストする。ファームウェア４３４は、システム４００上でのセルフテスト（例えば、パワーオンセルフテスト（ＰＯＳＴ））を実行する。このセルフテストは、各種ハードウェアコンポーネント（例えば、ハードディスクドライブ、光学読み取り装置、冷却装置、メモリモジュール、拡張カード等）の機能性をテストする。ファームウェア４３４は、オペレーティングシステム（ＯＳ）を記憶するために、メモリ４０４、ＲＯＭ４０６、ＲＡＭ４０８及び／又はストレージデバイス４１２内の領域をアドレス及び割り当てることができる。ファームウェア４３４は、ブートローダ及び／又はＯＳをロードし、システム４００の制御をＯＳに与えることができる。
【００８７】
システム４００のファームウェア４３４は、ファームウェア４３４がシステム４００内の各種ハードウェアコンポーネントをどのように制御するかを定義するファームウェア構成を有することができる。ファームウェア構成は、システム４００内の各種ハードウェアコンポーネントが起動される順序を判断する。ファームウェア４３４は、各種異なるパラメータの設定を許可するインタフェース（例えば、ＵＥＦＩ）を提供することができ、このパラメータは、ファームウェアのデフォルト設定のパラメータとは異なる。例えば、ユーザ（例えば、システム管理者）は、ファームウェア４３４を用いて、クロック及びバス速度を指定し、どの周辺機器をシステム４００に取り付けるか指定し、監視の状態（例えば、ファン速度及びＣＰＵ温度制限）を指定し、システム４００のパフォーマンス全体及び電力使用量に影響する多種の他のパラメータを指定する。
【００８８】
ファームウェア４３４は、フラッシュメモリ４３２に記憶されているものとして説明されているが、当業者は、ファームウェア４３４が、他のメモリ、コンポーネント（例えば、メモリ４０４又はＲＯＭ４０６）に記憶することができるのを理解するであろう。しかし、示されたフラッシュメモリ４３２に記憶されたファームウェア４３４は説明の目的の例であり、これに限定されない。
【００８９】
システム４００は１つ以上のセンサ４２６を有する。１つ以上のセンサ４２６は、例えば、１つ以上の温度センサ、熱センサ、酸素センサ、化学センサ、ノイズセンサ、ヒートセンサ、電流センサ、電圧検出器、気流センサ、流量センサ、赤外線放射温度計、熱流束センサ、温度計、高温計等を有する。１つ以上のセンサ４２６は、例えば、バス４０２を介して、プロセッサ、キャッシュ４２８、フラッシュメモリ４３２、通信インタフェース４２４、メモリ４０４、ＲＯＭ４０６、ＲＡＭ４０８、コントローラ４１０及びストレージデバイス４１２と通信する。また、１つ以上のセンサ４２６は、１つ以上の異なる手段（例えば、集積回路（Ｉ２Ｃ）、汎用出力（ＧＰＯ）等）を介して、システム内の他のコンポーネントと通信することができる。
【００９０】
図５は、説明した方法又は操作の実行、並びに、グラフィカルユーザインターフェース（ＧＵＩ）の生成及び表示に用いることができるチップセット機構を有する例示的なコンピュータシステム５００を示す図である。コンピュータシステム５００は、本発明の技術を実行するのに用いられるコンピュータハードウェア、ソフトウェア及びファームウェアを含むことができる。システム５００は、識別された計算を実行するように構成されたソフトウェア、ファームウェア及びハードウェアを実行することができる任意の数の物理的及び／又は論理的に異なるリソースを表すプロセッサ５１０を含むことができる。プロセッサ５１０は、プロセッサ５１０への入出力を制御することができるチップセット５０２と通信する。この例において、チップセット５０２は、情報を出力デバイス５１４（例えば、ディスプレイ）に出力し、ストレージデバイス５１６（磁気媒体、固体媒体を含む）に対して情報を読み書きする。また、チップセット５０２は、ＲＡＭ５１８に対してデータをやり取りする。各種ユーザインタフェースコンポーネント５０６と相互作用するブリッジ５０４は、チップセット５０２と相互作用するために提供され得る。このようなユーザインタフェースコンポーネント５０６は、キーボード、マイクロフォン、タッチ検出及び処理回路、ポインティングデバイス（マウス等）を有する。一般に、システム５００への入力は、機器及び／又は人間が生成した各種ソースの何れかから生じる。
【００９１】
また、チップセット５０２は、異なる物理的インタフェースを有する１つ以上の通信インタフェース５０８と相互作用する。このような通信インタフェースは、有線及び無線のローカルエリアネットワーク、ブロードバンドワイヤレスネットワーク及びパーソナルエリアネットワークのためのインタフェースを有する。本発明におけるＧＵＩを生成、表示及び使用する方法のいくつかのアプリケーションは、ストレージデバイス５１６又は５１８に記憶されたデータを分析するプロセッサ５１０が、順序付けられたデータセットを、物理的インタフェースを介して又は機器自身により生成されることにより受信する工程を有する。さらに、機器は、ユーザインタフェースコンポーネント５０６を介して、ユーザからの入力を受信し、適切な機能（例えば、プロセッサ５１０を用いて、これらの入力を解釈することによりブラウズ機能を実行する）を実行する。
【００９２】
さらに、チップセット５０２は、電源が投入されると、コンピュータシステム５００によって実行され得るファームウェア５１２と通信することができる。ファームウェア５１２は、ファームウェア構成のセットに基づいて、コンピュータシステム５００内に存在するハードウェアを認識、初期化及びテストすることができる。ファームウェア５１２は、システム５００上でセルフテスト（例えば、ＰＯＳＴ）を実行する。セルフテストでは、各種ハードウェアコンポーネント５０２〜５１０の機能をテストすることができる。ファームウェア５１２は、ＯＳを記憶するために、メモリ５１８内の領域をアドレス指定及び割り当てることができる。ファームウェア５１２は、ブートローダ及び／又はＯＳをロードし、システム５００の制御をＯＳに与える。場合によっては、ファームウェア５１２は、ハードウェアコンポーネント５０２〜５１０及び５１４〜５１８と通信する。ここで、ファームウェア５１２は、チップセット５０２及び／又は１つ以上の他のコンポーネントを介して、ハードウェアコンポーネント５０２〜５１０及び５１４〜５１８と通信する。場合によっては、ファームウェア５１２は、ハードウェアコンポーネント５０２〜５１０及び５１４〜５１８と直接通信することができる。
【００９３】
例示的なシステム３００，４００，５００は、より高い処理能力を提供するために、２つ以上のプロセッサ（例えば、３６３，４３０，５１０）を有することができ、又は、ネットワーク接続されたコンピューティングデバイスのグループ又はクラスタの一部であり得ることが理解されるであろう。
【００９４】
説明をわかりやすくするために、ある実施形態において、装置、デバイスコンポーネント、ソフトウェアで実施される方法における工程やルーティン、又は、ハードウェアとソフトウェアの組み合わせを含む個々の機能ブロックを有するものとして提示することができる。
【００９５】
いくつかの実施形態において、コンピュータ可読ストレージデバイス、媒体及びメモリは、ビットストリーム等を含むケーブル又は無線信号を有する。しかし、言及されるとき、非一時的なコンピュータ可読記憶媒体は、エネルギー、キャリア信号、電磁波及び信号そのもの等の媒体を明確に排除する。
【００９６】
上記の例における方法は、コンピュータ可読媒体に記憶されるか利用可能なコンピュータ実行可能命令を用いて実施される。このような命令は、例えば特定の機能又は機能グループを実行する汎用コンピュータ、専用コンピュータ又は特殊用途処理装置をもたらすか構成する命令及びデータを含むことができる。用いられるコンピュータリソースの一部は、ネットワークを介してアクセス可能である。コンピュータ実行可能命令は、例えば、バイナリ、中間フォーマット命令（例えば、アセンブリ言語）、ファームウェア又はソースコードである。命令、使用した情報、及び／又は、説明した例による方法において生成された情報を記憶するために用いることができるコンピュータ可読媒体の例は、磁気又は光学ディスク、フラッシュメモリ、不揮発性メモリを備えるＵＳＢデバイス、ネットワークストレージデバイス等を含む。
【００９７】
これらの開示における方法を実行する装置は、ハードウェア、ファームウェア及び／又はソフトウェアを有し、各種フォームファクタの何れかを利用する。このようなフォームファクタの一般的な例は、ラップトップ、スマートフォン、スモールフォームファクタパーソナルコンピュータ、ＰＤＡ、ラックマウント型装置、スタンドアロン装置等を有する。ここで説明される機能は、周辺装置又はアドインカードにも実装することができる。さらなる例として、このような機能は、単一の装置で実行される異なるチップ間又は異なるプロセス間の回路基板上で実行することができる。
【００９８】
命令、かかる命令を伝達する媒体、それらを実行するコンピューティングリソース、及び、かかるコンピューティングリソースをサポートする他の構造は、本明細書に記載の機能を提供する手段である。
【００９９】
本発明の各種実施形態は、ノードの冷却制御スイッチ及び特定のコントローラ（例えば、ＢＭＣ又は特定のプロセッサ）を用いて、ノードの１つ以上の冷却コンポーネントを制御するシステム及び方法を提供する。特定の実施形態では、任意の操作を異なる命令でどのように実現するかを示しているが、他の実施形態では、任意の操作を異なる命令に組み込むことができる。説明を明瞭にするために、本発明のいくつかの実施形態において、デバイス、デバイスコンポーネント、ソフトウェア、又は、ハードウェアとソフトウェアの組み合わせで実現される方法におけるステップ若しくはルーティンを有する機能ブロックを含むものとして示される。
【０１００】
各種実施形態は、場合によっては、いくつかのアプリケーションの何れかを動作させるために用いられる１つ以上のサーバコンピュータ、ユーザコンピュータ又はコンピューティングデバイスを有する多種多様な動作環境で実行することができる。ユーザ又はクライアントデバイスは、標準のオペレーティングシステムを実行するデスクトップ又はラップトップコンピュータ等の多数の汎用パーソナルコンピュータ、並びに、モバイルソフトウェアを実行し、いくつかのネットワーク及びメッセージプロトコルをサポートすることができるセルラー、ワイヤレス及びハンドヘルド装置を含むことができる。このようなシステムは、さらに、開発及びデータベース管理等の目的のために様々な市販のオペレーティングシステム及び他の既知のアプリケーションを実行するいくつかのワークステーションを有する。これらの装置は、他の電子装置（例えば、ダミー端末、シンクライアント、ゲームシステム、及び、ネットワークを介して通信可能な他の装置等）を有する。
【０１０１】
本発明のいくつかの実施態様又はその一部がハードウェアで実現される限り、本発明は、以下の技術の何れか又は組み合わせにより実現される。例えば、データ信号に基づきロジック機能を実行するロジックゲートを有する離散ロジック回路、適切な組み合わせのロジックゲートを有する特定用途向け集積回路（ＡＳＩＣ）、プログラマブルゲートアレイ（ＰＧＡ）等のプログラマブルハードウェア、フィールドプログラマブルゲートアレイ（ＦＰＧＡ）等が含まれる。
【０１０２】
ほとんどの実施形態は、例えばＴＣＰ／ＩＰ、ＯＳＩ、ＦＴＰ、ＵＰｎＰ、ＮＦＳ、ＣＩＦＳ、ＡｐｐｌｅＴａｌｋ（登録商標）等の商用のプロトコルの何れかを用いて通信をサポートするために、当業者によく知られている少なくとも１つのネットワークを使用する。ネットワークは、例えば、ローカルエリアネットワーク、広域ネットワーク、仮想プライベートネットワーク、インターネット、イントラネット、エクストラネット、公衆交換電話網、赤外線ネットワーク、無線ネットワーク、及び、これらの任意の組み合わせである。
【０１０３】
上記の例における方法は、コンピュータ可読媒体に記憶されるか利用可能なコンピュータ実行可能命令を用いて実施される。このような命令は、例えば、特定の機能又は機能グループを実行する汎用コンピュータ、専用コンピュータ又は特殊用途処理装置をもたらすか構成する命令及びデータを含むことができる。用いられるコンピュータリソースの一部は、ネットワークを介してアクセス可能である。コンピュータ実行可能命令は、例えば、バイナリ、中間フォーマット命令（例えば、アセンブリ言語）、ファームウェア又はソースコードである。命令、使用した情報、及び／又は、説明した例による方法において生成された情報を記憶するために用いることができるコンピュータ可読媒体の例は、磁気又は光学ディスク、フラッシュメモリ、不揮発性メモリを備えるＵＳＢデバイス、ネットワークストレージデバイス等を含む。
【０１０４】
これらの開示における方法を実行する装置は、ハードウェア、ファームウェア及び／又はソフトウェアを有し、各種フォームファクタの何れかを利用する。このようなフォームファクタの一般的な例は、サーバコンピュータ、ラップトップ、スマートフォン、スモールフォームファクタパーソナルコンピュータ、ＰＤＡ等を有する。ここで説明される機能は、周辺装置又はアドインカードにも実装することができる。さらなる例として、このような機能は、単一の装置で実行される異なるチップ間又は異なるプロセス間の回路基板上で実行することができる。
【０１０５】
ウェブサーバを用いた実施形態において、ウェブサーバは、ＨＴＴＰサーバ、ＦＴＰサーバ、ＣＧＩサーバ、データサーバ、Ｊａｖａ（登録商標）サーバ、及び、ビジネスアプリケーションサーバを有する任意の種類のサーバ又は中間層アプリケーションを実行することができる。サーバは、ユーザ装置からの要求に応じて、例えば、任意のプログラミング言語（例えば、Ｊａｖａ（登録商標）、Ｃ、Ｃ＃、Ｃ＋＋）、任意のスクリプト言語（例えば、Ｐｅｒｌ、Ｐｙｔｈｏｎ、ＴＣＬ）、及びこれらの組み合わせで書き込まれる１つ以上のスクリプト又はプログラムとして実行される１つ以上のウェブアプリケーションを実行すること等により、プログラムやスクリプトを実行することができる。サーバは、公開市場で市販されているものを含むがこれに限定されないデータベースサーバを含むことができる。
【０１０６】
サーバシステムは、前述の様々なデータ記憶、他のメモリ、及び、ストレージ媒体を有する。これらは、例えば、ストレージ媒体が１つ以上のコンピュータにローカル接続され（及び／又は存在する）、又は、ネットワークにより、任意の若しくは全てのコンピュータから遠隔で連結される等のように、様々な場所に存在し得る。一組の特定の実施形態において、情報は、当業者によく知られているストレージエリアネットワーク（ＳＡＮ）中に存在することができる。同様に、コンピュータ、サーバ又は他のネットワーク装置に起因する機能を実行するのに必要とされる任意のファイルは、必要に応じてローカル及び／又はリモートに記憶することができる。システムがコンピュータ化された装置を含む場合、このような装置は、バスを介して電気的に接続されるハードウェアコンポーネントを有し、コンポーネントは、例えば、少なくとも１つの中央処理ユニット（ＣＰＵ）と、少なくとも１つの入力デバイス（例えば、マウス、キーボード、コントローラ、タッチセンサディスプレイコンポーネント、又は、キーパッド）と、少なくとも１つの出力デバイス（例えば、ディスプレイ装置、プリンタ、又は、スピーカ）と、を有する。このようなシステムは、さらに、１つ以上のストレージデバイス（例えば、ディスクドライブ、光学ストレージデバイス、及び、ソリッドステートストレージデバイス（例えば、ランダムアクセスメモリ（ＲＡＭ）又はリードオンリメモリ（ＲＯＭ））、及び、除去可能な媒体装置、メモリカード、フラッシュカード等）を有する。
【０１０７】
このような装置は、さらに、上述したように、コンピュータ可読記憶媒体読み取り機、通信装置（例えば、モデム、ネットワークカード（有線又は無線）、赤外線コンピューティングデバイス）、及び、ワーキングメモリを有する。コンピュータ可読記憶媒体読み取り機は、コンピュータ可読記憶媒体に接続され、又は、コンピュータ可読記憶媒体を受け入れる。コンピュータ可読記憶媒体は、リモート、ローカル、固定、及び／又は、取り外し可能なストレージデバイスを表してもよく、一時的及び／又は永久的に、コンピュータ可読情報を含有、記憶、送信及び回収するストレージ媒体を表してもよい。システム及び各種デバイスは、一般に、少なくとも１つのワーキングメモリ装置に配置された複数のソフトウェアアプリケーション、モジュール、サービス、又は、他の素子を有し、当該他の素子は、オペレーティングシステム及びアプリケーションプログラム（例えば、クライアントアプリケーション又はウェブブラウザ）を有する。前述した例に基づいて、様々な変形例を有することができることを理解されたい。例えば、カスタマイズされたハードウェアを使用することもでき、及び／又は、特定の素子をハードウェア／ソフトウェア（ポータブルソフトウェア（例えば、アプレット）を含む）若しくはこれらの両方で実施することができる。さらに、その他のコンピューティングデバイス（例えば、ネットワーク入／出力装置）への接続も使用される。
【０１０８】
コード又はコードの一部を含むストレージ媒体及びコンピュータ可読媒体は、従来技術で用いられる任意の適切な媒体（例えば、ストレージ媒体及びコンピューティング媒体）を含む。この媒体は、揮発性及び不揮発性、取り外し可能、並びに、非取り外し可能媒体に限定されず、任意の方法や技術で実現され、情報（例えば、コンピュータ可読命令、データ構造、プログラムモジュール又は他のデータ）を記憶及び／又は送信する。この媒体は、ＲＡＭ、ＲＯＭ、ＥＰＲＯＭ、ＥＥＰＲＯＭ、フラッシュメモリ、他のメモリ技術、ＣＤ−ＲＯＭ、デジタル多用途ディスク（ＤＶＤ）、他の光学ストレージ、磁気カセット、磁気テープ、磁気ディスクストレージ、他の磁気ストレージデバイス、又は、他の任意の媒体を含み、必要な情報を記憶するのに用いられたり、システムデバイスによりアクセスされる。本明細書で提供される技術及び教示に基づいて、当業者であれば、本発明の各種態様を実施する他のやり方及び／又は方法を理解するであろう。
【０１０９】
明細書及び図面は、限定的ではなく例示的なものとみなされるべきである。しかしながら、特許請求の範囲に記載された発明のより広い趣旨及び範囲から逸脱することなく、様々な修正及び変更を行うことができることは明らかであろう。
【符号の説明】
【０１１０】
１００Ａ〜１００Ｄ…例示的なシステム
１０１−１〜１０１−３…サーバシステム
１０２…冷却コンポーネント
１０２−１〜１０２−３…冷却ファン
１０３…ウォッチドッグ回路
１０３−１〜１０３−３…ウォッチドッグ回路
１０４…ファン制御スイッチ
１０４−１〜１０４−２…ファン制御スイッチ
１０５…バックプレーン
１０６…ベースボード管理コントローラ
１０６−１〜１０６−３…ベースボード管理コントローラ
１０７…ＡＣ電源
１０８…電源ユニット（ＰＳＵ）
１０９…電源ユニット出力
１１０…バッテリシステム
１１１…メインＤＣバス
１１２…ＰＣＩバス
１１３…メインメモリ
１１４…プロセッサ
１１５…ノースブリッジ（ＮＢ）ロジック
１１６…サウスブリッジ（ＳＢ）ロジック
１１７…ストレージデバイス
１５０〜１５１…ＩＳＡスロット
１６０…ＰＣＩｅスロット
１７０〜１７１…ＰＣＩスロット
２００Ａ…方法
２０２〜２０６…ステップ
２００Ｂ…方法
２２０〜２３２…ステップ
３６１…メモリ
３６２…ＣＰＵ
３６３…プロセッサ
３６８…インタフェース
４００…システム
４０２…バス
４０４…メモリ
４０６…ＲＯＭ
４０８…ＲＡＭ
４１０…コントローラ
４１２…ストレージデバイス
４１４…ＭＯＤ１
４１６…ＭＯＤ２
４１８…ＭＯＤ３
４２０…入力装置
４２２…出力装置
４２４…通信インタフェース
４２６…センサ
４２８…キャッシュ
４３０…プロセッサ
４３２…フラッシュメモリ
４３４…ファームウェア
４３６…ディスプレイ
５００…コンピュータシステム
５０２…チップセット
５０４…ブリッジ
５０６…ユーザインタフェースコンポーネント
５０８…通信インタフェース
５１０…プロセッサ
５１２…ファームウェア
５１４…出力装置
５１６…ストレージデバイス
５１８…ＲＡＭ
ＰＷＭ−１〜ＰＷＭ−３…パルス幅変調信号
【図１Ａ】
2019032818.tif 000004
【図１Ｂ】
2019032818.tif 000005
【図１Ｃ−１】
2019032818.tif 000006
【図１Ｃ−２】
2019032818.tif 000007
【図１Ｄ】
2019032818.tif 000008
【図１Ｅ】
2019032818.tif 000009
【図２Ａ】
2019032818.tif 000010
【図２Ｂ】
2019032818.tif 000011
【図３】
2019032818.tif 000012
【図４】
2019032818.tif 000013
【図５】
2019032818.tif 000014